(57)【要約】      （修正有）【課題】ベローズ等の内部部品を収めたハウジングの一部としてガスエンドカバーを有するアキュムレータにおいて、内部容積調整用のスペーサを用いなくてもハウジングの内部容積を縮小することができ、しかもガスエンドカバーを高圧に耐え得る構造とすることができるアキュムレータを提供する。【解決手段】ガスエンドカバー４は、ハウジング２の内側へ突出してハウジング２の内部容積を縮小する凸状の容積調整部１２を一体に有する。凸状の容積調整部１２は、ガスエンドカバー４に固定されたベローズ７の一端部７ａよりも同ベローズ７の内周側において同ベローズ７の他端部７ｂ側へ突出する。ガスエンドカバー４は、その外面に凹状のナット取付部１６を有し、凹状のナット取付部１６は、その内面にナット回り止め部１７を有する。【選択図】図１
0003114180.tif 000002
【実用新案登録請求の範囲】
【請求項１】
ベローズ（７）等の内部部品（６）を収めたハウジング（２）の一部としてガスエンドカバー（４）を有するアキュムレータ（１）において、
前記ガスエンドカバー（４）は、前記ハウジング（２）の内側へ突出して前記ハウジング（２）の内部容積を縮小する凸状の容積調整部（１２）を一体に有することを特徴とするアキュムレータ。
【請求項２】
請求項１のアキュムレータにおいて、
凸状の容積調整部（１２）は、ガスエンドカバー（４）に固定されたベローズ（７）の一端部（７ａ）よりも同ベローズ（７）の内周側において同ベローズ（７）の他端部（７ｂ）側へ突出していることを特徴とするアキュムレータ。
【請求項３】
請求項１または２のアキュムレータにおいて、
ガスエンドカバー（４）は、その外面に凹状のナット取付部（１６）を有し、
前記凹状のナット取付部（１６）は、その内面にナット回り止め部（１７）を有することを特徴とするアキュムレータ。
【考案の詳細な説明】
【技術分野】
【０００１】
本考案は、蓄圧装置または脈圧減衰装置等として用いられるアキュムレータに関するものである。本考案のアキュムレータは例えば自動車用、特に自動車ブレーキ用アキュムレータとして用いられる。
【背景技術】
【０００２】
図４に示すように、従来からアキュムレータには、ベローズ５３を固定し、高圧のガスおよび液（フルード）を保持するためにハウジング５１の一部としてガスエンドカバー５２が設けられている。
【０００３】
しかしながら従来、このガスエンドカバー５２は、図示するように鍋蓋状の形状に形成されていることから、このガスエンドカバー５２の内側に大きなデッドスペースを生じ、このデッドスペースを埋めるべく内部容積調整用の合成樹脂製スペーサ５４を設置している（デッドスペースが大きいとガスを多量に注入しなければならないことから、スペーサ５４を設置して内部容積を縮小している）。
【０００４】
【特許文献１】特開２００２−２７６６０４号公報（図８）
【考案の開示】
【考案が解決しようとする課題】
【０００５】
本考案は以上の点に鑑みて、内部容積調整用のスペーサを用いなくてもハウジングの内部容積を縮小することができ、しかもガスエンドカバーを高圧に耐え得る構造とすることができるアキュムレータを提供することを目的とする。
【課題を解決するための手段】
【０００６】
上記目的を達成するため、本考案の請求項１によるアキュムレータは、ベローズ等の内部部品を収めたハウジングの一部としてガスエンドカバーを有するアキュムレータにおいて、前記ガスエンドカバーは、前記ハウジングの内側へ突出して前記ハウジングの内部容積を縮小する凸状の容積調整部を一体に有することを特徴とするものである。
【０００７】
また、本考案の請求項２によるアキュムレータは、上記した請求項１のアキュムレータにおいて、凸状の容積調整部は、ガスエンドカバーに固定されたベローズの一端部よりも同ベローズの内周側において同ベローズの他端部側へ突出していることを特徴とするものである。
【０００８】
また、本考案の請求項３によるアキュムレータは、上記した請求項１または２のアキュムレータにおいて、ガスエンドカバーはその外面に、凹状のナット取付部を有し、前記凹状のナット取付部はその内面に、ナット回り止め部を有することを特徴とするものである。
【０００９】
上記構成を備えた本考案の請求項１によるアキュムレータにおいては、ハウジングの一部をなすガスエンドカバーに、ハウジングの内側へ突出してハウジングの内部容積を縮小する凸状の容積調整部を一体に設けたことから、この凸状の容積調整部が従来のスペーサに代わって、ハウジングの内部容積を縮小する作用を果たす。凸状の容積調整部の突出量ないしボリューム（体積）は製品の仕様等によって適宜定められるが、請求項２に記載したようにこの凸状の容積調整部を、ガスエンドカバーに固定されたベローズの一端部よりも同ベローズの内周側において同ベローズの他端部側へ突出するように構成すると、ハウジングの内部容積を十分に縮小することが可能となる。
【００１０】
また、このようにガスエンドカバーに凸状の容積調整部を一体に設けると、ガスエンドカバーの厚みが増大することから、これに伴ってガスエンドカバーの強度を増大させることが可能となる。
【００１１】
また、このようにガスエンドカバーの厚みおよび強度を増大させると、このガスエンドカバーの外面にナット取付部を凹状のものとして形成することが可能となり、凹状のナット取付部にはその内面にナット回り止め部を設けることが可能となる（請求項３）。
【考案の効果】
【００１２】
本考案は、以下の効果を奏する。
【００１３】
すなわち、本考案の請求項１によるアキュムレータは、上記したようにベローズ等の内部部品を収めたハウジングの一部としてガスエンドカバーを有するアキュムレータにおいて、ガスエンドカバーは、ハウジングの内側へ突出してハウジングの内部容積を縮小する凸状の容積調整部を一体に有することを特徴とするものであり、このようにハウジングの一部をなすガスエンドカバーに、ハウジングの内側へ突出してハウジングの内部容積を縮小する凸状の容積調整部を一体に設けたことから、この凸状の容積調整部が従来のスペーサに代わって、ハウジングの内部容積を縮小する作用を果たす。したがって、従来のスペーサを省略可能となることから、アキュムレータの部品点数・組立工数の削減、製品の軽量・コンパクト化を実現することができる。
【００１４】
また、ガスエンドカバーに凸状の容積調整部を一体に設けたことにより、ガスエンドカバーの厚みが増大し、これに伴ってガスエンドカバーの強度を増大させることができる。
【００１５】
したがって以上のことから、本考案所期の目的どおり、内部容積調整用のスペーサを用いなくてもハウジングの内部容積を縮小することができ、しかもガスエンドカバーを高圧に耐え得る構造とすることができるアキュムレータを提供することができる。
【００１６】
また、本考案の請求項２によるアキュムレータは、上記したように請求項１のアキュムレータにおいて、凸状の容積調整部は、ガスエンドカバーに固定されたベローズの一端部よりも同ベローズの内周側において同ベローズの他端部側へ突出していることを特徴とするものであり、このように凸状の容積調整部がハウジングの内部へ大きく突出していることから、ハウジングの内部容積を十分に縮小することができる。したがって、専用部品であるスペーサを用いないにもかかわらず、ハウジングの内部容積を十分に縮小することができるアキュムレータを提供することができる。
【００１７】
また、本考案の請求項３によるアキュムレータは、上記したように請求項１または２のアキュムレータにおいて、ガスエンドカバーはその外面に凹状のナット取付部を有し、凹状のナット取付部はその内面にナット回り止め部を有することを特徴とするものであり、このようにガスエンドカバーの外面に凹状のナット取付部が設けられ、その内面にナット回り止め部が設けられていることから、ナットをガスエンドカバーに溶接固定しなくても、ナットをガスエンドカバーに固定（回り止め）することができる。したがって、アキュムレータの製造工程からナット溶接工程を省略することができる。
【考案を実施するための最良の形態】
【００１８】
尚、本考案には、以下の実施形態が含まれる。
【００１９】
（１）金属ベローズ型アキュムレータにおける、ガスエンドカバー部の
（１−１）デッドスペースの削減による体積調整スペーサの廃止（ガスエンドカバー部への機能一体化）をした構造または形状。
（１−２）六角ナットを一体化した構造または形状。
【００２０】
（２）素材板厚を厚くし高圧に耐え得る形状とし、製品内側へ凸形状としデッドスペースを無くし、凸部体積を調整することで体積調整用スペーサを廃止した構造または形状。また、本品は鍛造またはプレス加工で製作し、内側へ加工する部分に、取付用六角部（四角部や二面幅部でも可）を設けた構造または形状。
【００２１】
（３−１）デッドスペースを無くし、体積調整スペーサを廃止した構造または形状。
（３−２）取付用六角部を一体化した構造または形状。
【実施例】
【００２２】
つぎに本考案の実施例を図面にしたがって説明する。
【００２３】
図１は、本考案の実施例に係るアキュムレータ１の断面を示しており、そのＡ方向矢視図が図２に示されている。当該実施例に係るアキュムレータ１は金属ベローズ型のアキュムレータであって、以下のように構成されている。
【００２４】
すなわち先ず、略円筒状を呈するシェル３の一端部（図では上端部）にガスエンドカバー４が固定（溶接）されるとともに他端部（図では下端部）にオイルポート５が固定（溶接）されて、これらシェル３、ガスエンドカバー４およびオイルポート５によって当該アキュムレータ１のハウジング２が構成されており、このハウジング２の内部に、ベローズ７およびベローズキャップ８等よりなる内部部品（内部作動部材）６が収容されている。
【００２５】
上記ベローズ７は、その一端部（固定端部、図では上端部）７ａをガスエンドカバー４に固定（溶接）されるとともに他端部（遊動端部、図では下端部）７ｂをベローズキャップ８に固定（溶接）されており、よってこのベローズ７およびベローズキャップ８よりなる内部部品６によってハウジング２の内部が内部部品６の内側のガス室９と外側の液室（フルード室）１０とに区分けされている。ベローズ７の他端部７ｂ外周には、ベローズ７が伸縮作動時にシェル３に対してかじることがないよう、シェル３の内面に摺動自在に接触する制振リング１１が取り付けられている。ベローズ７には、電着ベローズ、成形ベローズまたは溶接ベローズ等よりなる金属ベローズが用いられるが、アキュムレータ１の仕様や用途等によっては、その他の材質のベローズを用いることも可能である。ベローズキャップ８はベローズ７に対して一体に成形されたものであっても良い。
【００２６】
上記ハウジング２の一部を構成するガスエンドカバー４は、所定の金属材質によって円盤状に形成されており、その内面（図では下面）の中央に、ハウジング２の内側（図では下方）へ向けて突出してハウジング２の内部容積を縮小するための凸状の容積調整部１２が一体に成形されている。
【００２７】
この凸状の容積調整部１２は、その先端に設けられた平坦面部１２ａと、その周りに設けられた立ち上がり状の傾斜面部１２ｂとを有して立体化されている。また、この凸状の容積調整部１２は、ガスエンドカバー４に固定されたベローズ７の一端部７ａよりも同ベローズ７の内周側において同ベローズ７の他端部７ｂ側（図では下方）へ向けて突出しており、よってハウジング２の内部において上記ガス室９の内部容積を縮小している。ガスエンドカバー４の内面において、凸状の容積調整部１２の外周側には、ベローズ７の一端部７ａを固定するためのベローズ固定部１３が設けられており、またこのベローズ固定部１３のさらに外周側には、シェル３の一端部を固定するためのシェル固定部１４が設けられている。
【００２８】
また、凸状の容積調整部１２の平面中央には、ガス室９にガスを注入するためのガス注入口１５が開口しており、この注入口１５と連通するようにして、ガスエンドカバー４の外面（図では上面）に、凹状を呈して六角ナット（図示せず）を嵌め込むためのナット取付部１６が設けられている。この凹状のナット取付部１６は、図上Ａ方向から見た開口形状を上記六角ナットに対応する六角形状に設定されており、よってこのナット取付部１６に六角ナットを嵌め込むと、六角ナットを回り止めしかつ固定することができる。したがってこのナット取付部１６は、その形状によりその内面に、ナット回り止め部１７を有している。
【００２９】
上記ベローズ７の内側のガス室９には、上記注入口１５から所定圧力のガスを注入し、注入後に、注入口１５をガスプラグ（図示せず）によって閉塞し、またナット取付部１６に六角ナットを嵌め込むことによってガスプラグを抜け止めする。封入するガスの種類としては、窒素ガス等が好適である。
【００３０】
上記構成のアキュムレータ１は、上記オイルポート５をもって例えば自動車ブレーキ系統の油圧配管に接続されて、この油圧配管に生じる圧力変動をガス室９と液室１０の圧力均衡によって吸収するよう作動するものであって、上記構成により以下の作用効果を奏する点に特徴を有している。
【００３１】
すなわち先ず、上記構成のアキュムレータ１においては、ハウジング２の一部を構成するガスエンドカバー４の内面に、ハウジング２の内側へ突出してハウジング２の内部容積を縮小するための凸状の容積調整部１２が一体に設けられているために、この凸状の容積調整部１２が従来のスペーサに代わって、ハウジング２の内部容積を縮小することが可能とされている。また、この凸状の容積調整部１２は、ガスエンドカバー４に固定されたベローズ７の一端部７ａよりも同ベローズ７の内周側において同ベローズ７の他端部７ｂ側へ突出するよう構成されているために、ハウジング２の内部容積を十分に縮小することが可能とされている。したがって、従来技術におけるスペーサが省略されることから、アキュムレータ１の部品点数や組立工数の削減、製品の軽量化やコンパクト化を実現することができ、しかもスペーサを用いないにもかかわらず、ハウジング２の内部容積を十分に縮小することができる。
【００３２】
また、このようにガスエンドカバー４の内面に凸状の容積調整部１２が一体に設けられているために、ガスエンドカバー４の厚みを増大させることができ、これに伴ってガスエンドカバー４の強度を増大させることができる。したがって、ガスエンドカバー４を高圧に耐え得る構造とすることができる。
【００３３】
また、従来技術においてはガスエンドカバーが比較的薄肉であることから、ガスエンドカバーの外面に設けるナット取付部はこれを凹部状に形成することができなかったが、上記したようにガスエンドカバー４の厚みおよび強度が増大すると、ナット取付部１６を凹状に形成することができ、凹状のナット取付部１６にはその内面にナット回り止め部１７を設けることができる。内面にナット回り止め部１７を設けた凹状のナット取付部１６は、従来のようにナットをガスエンドカバー４に溶接固定しなくてもナットをガスエンドカバー４に対し回り止めし固定することができるものである。したがって、アキュムレータ１の製造工程からナット溶接工程を省略することができる。
【００３４】
尚、上記実施例では、凹状のナット取付部１６の平面形状を六角形としたが、ナットを嵌め込むことができかつ回り止めすることができれば、その形状は特に限定されず、四角形やその他の形状であっても良い。また図３に示すように、互いに平行な対向二面１６ａ，１６ａを有するいわゆる二面幅部としても良く、この場合には、この対向二面１６ａ，１６ａによってナット回り止め部１７が構成される。
【図面の簡単な説明】
【００３５】
【図１】本考案の実施例に係るアキュムレータの断面図
【図２】同アキュムレータの平面図であって図１におけるＡ方向矢視図
【図３】ナット取付部の他の形状例を示すアキュムレータの平面図
【図４】従来例に係るアキュムレータの断面図
【符号の説明】
【００３６】
１  アキュムレータ
２  ハウジング
３  シェル
４  ガスエンドカバー
５  オイルポート
６  内部部品
７  ベローズ
７ａ  一端部
７ｂ  他端部
８  ベローズキャップ
９  ガス室
１０  液室
１１  制振リング
１２  容積調整部
１２ａ  平坦面部
１２ｂ  傾斜面部
１３  ベローズ固定部
１４  シェル固定部
１５  ガス注入口
１６  ナット取付部
１６ａ  対向二面
１７  ナット回り止め部
【図１】
0003114180.tif 000003
【図２】
0003114180.tif 000004
【図３】
0003114180.tif 000005
【図４】
0003114180.tif 000006